(57)【要約】【課題】ユーザがアプリケーションに対してどの程度積極的に取り組んでいるかをインセンティブに反映することができると共に、データ通信コストを低減させ、さらに携帯電話回線における輻輳を回避する。【解決手段】Wi-Fi APを検知するWi-Fi AP検知部５と、検知したいずれかのWi-Fi APに接続するWi-Fi AP接続部７と、検知したWi-Fi APの識別情報および検知した時刻、並びに接続したWi-Fi APの識別情報、接続を開始した時刻および接続を終了した時刻を履歴情報としてデータベースに保存するWi-Fi AP検知／接続履歴保存部９と、少なくとも一つのアプリケーションと、を備え、履歴情報をサーバ装置２０に送信した後、サーバ装置２０から、Wi-Fi APの検知またはWi-Fi APへの接続に応じたアプリケーションに対するインセンティブを獲得する。【選択図】図１
2015064801.tif 000002
【特許請求の範囲】
【請求項１】
通信可能範囲が相対的に広い第１の無線通信方式または通信可能範囲が相対的に狭く通信可能範囲を特定可能な第２の無線通信方式を切り替えて無線通信を行なう移動局装置であって、
前記第２の無線通信方式の基地局装置を検知する検知部と、
前記検知したいずれかの第２の通信方式の基地局装置に接続する接続部と、
前記検知した第２の無線通信方式の基地局装置の識別情報および検知した時刻、並びに前記接続した第２の無線通信方式の基地局装置の識別情報、接続を開始した時刻および接続を終了した時刻を履歴情報としてデータベースに保存する検知接続履歴保存部と、
少なくとも一つのアプリケーションと、を備え、
前記履歴情報をサーバ装置に送信した後、前記サーバ装置から、前記第２の無線通信方式の基地局装置の検知または前記第２の無線通信方式の基地局装置への接続に応じた前記アプリケーションに対するインセンティブを獲得することを特徴とする移動局装置。
【請求項２】
通信可能範囲が相対的に広い第１の無線通信方式または通信可能範囲が相対的に狭く通信可能範囲を特定可能な第２の無線通信方式を切り替えて無線通信を行なう移動局装置であって、
前記第２の無線通信方式の基地局装置を検知する検知部と、
前記検知したいずれかの第２の通信方式の基地局装置に接続する接続部と、
前記検知した第２の無線通信方式の基地局装置の識別情報および検知した時刻、並びに前記接続した第２の無線通信方式の基地局装置の識別情報、接続を開始した時刻および接続を終了した時刻を履歴情報としてデータベースに保存する検知接続履歴保存部と、
少なくとも一つのアプリケーションと、
前記履歴情報に基づいて、前記アプリケーションに対するインセンティブを付与する対象となる第２の無線通信方式の基地局装置を特定する第１の特定部と、
前記特定した第２の無線通信方式の基地局装置の検知または前記特定した第２の無線通信方式の基地局装置への接続に応じた前記アプリケーションに対するインセンティブを決定する第１のインセンティブ決定部と、を備え、
前記決定されたインセンティブが前記アプリケーションで利用可能となることを特徴とする移動局装置。
【請求項３】
通信可能範囲が相対的に広い第１の無線通信方式または通信可能範囲が相対的に狭く通信可能範囲を特定可能な第２の無線通信方式を切り替えることが可能で、少なくとも一つのアプリケーションを有する移動局装置と通信を行なうサーバ装置であって、
前記移動局装置が検知した第２の無線通信方式の基地局装置の識別情報および検知した時刻、並びに前記移動局装置が接続した第２の無線通信方式の基地局装置の識別情報、接続を開始した時刻および接続を終了した時刻を含む履歴情報を、前記移動局装置から受信するデータ送受信部と、
前記履歴情報に基づいて、前記移動局装置のアプリケーションに対するインセンティブを付与する対象となる第２の無線通信方式の基地局装置を特定する第２の特定部と、
前記特定した第２の無線通信方式の基地局装置の検知または前記特定した第２の無線通信方式の基地局装置への接続に応じた前記移動局装置のアプリケーションに対するインセンティブを決定する第２のインセンティブ決定部と、を備え、
前記データ送受信部は、前記決定したインセンティブを、前記履歴情報を送信した移動局装置に対して送信することを特徴とするサーバ装置。
【請求項４】
請求項１記載の移動局装置と、請求項３記載のサーバ装置と、から構成されることを特徴とする通信システム。
【請求項５】
通信可能範囲が相対的に広い第１の無線通信方式または通信可能範囲が相対的に狭く通信可能範囲を特定可能な第２の無線通信方式を切り替えることが可能で、少なくとも一つのアプリケーションを有する移動局装置のプログラムであって、
前記第２の無線通信方式の基地局装置を検知する処理と、
前記検知したいずれかの第２の通信方式の基地局装置に接続する処理と、
前記検知した第２の無線通信方式の基地局装置の識別情報および検知した時刻、並びに前記接続した第２の無線通信方式の基地局装置の識別情報、接続を開始した時刻および接続を終了した時刻を履歴情報としてデータベースに保存する処理と、
前記履歴情報をサーバ装置に送信した後、前記サーバ装置から、前記第２の無線通信方式の基地局装置の検知または前記第２の無線通信方式の基地局装置への接続に応じたアプリケーションに対するインセンティブを獲得する処理と、の一連の処理をコンピュータに実行させることを特徴とするプログラム。
【請求項６】
通信可能範囲が相対的に広い第１の無線通信方式または通信可能範囲が相対的に狭く通信可能範囲を特定可能な第２の無線通信方式を切り替えることが可能で、少なくとも一つのアプリケーションを有する移動局装置と通信を行なうサーバ装置のプログラムであって、
前記移動局装置が検知した第２の無線通信方式の基地局装置の識別情報および検知した時刻、並びに前記移動局装置が接続した第２の無線通信方式の基地局装置の識別情報、接続を開始した時刻および接続を終了した時刻を含む履歴情報を、前記移動局装置から受信する処理と、
前記履歴情報に基づいて、前記移動局装置のアプリケーションに対するインセンティブを付与する対象となる第２の無線通信方式の基地局装置を特定する処理と、
前記特定した第２の無線通信方式の基地局装置の検知または前記特定した第２の無線通信方式の基地局装置への接続に応じた前記移動局装置のアプリケーションに対するインセンティブを決定する処理と、
前記決定したインセンティブを前記履歴情報を送信した移動局装置に対して送信する処理と、の一連の処理をコンピュータに実行させることを特徴とするプログラム。
【発明の詳細な説明】
【技術分野】
【０００１】
本発明は、通信可能範囲が相対的に広い第１の無線通信方式または通信可能範囲が相対的に狭く通信可能範囲を特定可能な第２の無線通信方式を切り替えて無線通信を行なう技術に関する。
【背景技術】
【０００２】
従来から、携帯端末に搭載されたＧＰＳ等の位置認識手段を用い、所定時間毎の同端末の移動距離に応じて、ゲームで利用可能なポイントのようなインセンティブを付与するサービスが知られている。特許文献１では、このようなサービスを実施する際、移動距離を適正に算出する方法が提案されている。
【先行技術文献】
【特許文献】
【０００３】
【特許文献１】特許第４７８９２２２号明細書
【発明の概要】
【発明が解決しようとする課題】
【０００４】
しかしながら、上記の従来技術では、ＧＰＳや周辺基地局の情報により、携帯端末の位置を特定することを繰り返し、その移動状態に基づいてゲーム向けのインセンティブを付与するものであるが、任意の位置においてユーザが同ゲームに対してどの程度積極的に取り組んでいるかをインセンティブに反映することはできない。また、同ゲームのプレイ等を通して発生し、ユーザに課されるデータ通信コストを低減することはできない。
【０００５】
一方、通信事情を考慮すると、３ＧやＬＴＥ等の携帯電話回線における輻輳を回避するため、Ｗｉ−Ｆｉに接続可能な状況では、できるだけＷｉ−Ｆｉに接続することが望ましい、というニーズがある。携帯端末に搭載されているアプリケーションについて、Ｗｉ−Ｆｉを検知または接続することによって、インセンティブが与えられるとすると、Ｗｉ−Ｆｉへの誘因になると考えられる。
【０００６】
本発明は、このような事情に鑑みてなされたものであり、ユーザがアプリケーションに対してどの程度積極的に取り組んでいるかをインセンティブに反映することができると共に、データ通信コストを低減させ、さらに携帯電話回線における輻輳を回避することができる移動局装置、サーバ装置、通信システムおよびプログラムを提供することを目的とする。
【課題を解決するための手段】
【０００７】
（１）上記の目的を達成するため、本発明は、以下のような手段を講じた。すなわち、本発明の移動局装置は、通信可能範囲が相対的に広い第１の無線通信方式または通信可能範囲が相対的に狭く通信可能範囲を特定可能な第２の無線通信方式を切り替えて無線通信を行なう移動局装置であって、前記第２の無線通信方式の基地局装置を検知する検知部と、前記検知したいずれかの第２の通信方式の基地局装置に接続する接続部と、前記検知した第２の無線通信方式の基地局装置の識別情報および検知した時刻、並びに前記接続した第２の無線通信方式の基地局装置の識別情報、接続を開始した時刻および接続を終了した時刻を履歴情報としてデータベースに保存する検知接続履歴保存部と、少なくとも一つのアプリケーションと、を備え、前記履歴情報をサーバ装置に送信した後、前記サーバ装置から、前記第２の無線通信方式の基地局装置の検知または前記第２の無線通信方式の基地局装置への接続に応じた前記アプリケーションに対するインセンティブを獲得することを特徴とする。
【０００８】
このように、第２の無線通信方式の基地局装置を検知し、検知したいずれかの第２の通信方式の基地局装置に接続し、検知した第２の無線通信方式の基地局装置の識別情報および検知した時刻、並びに接続した第２の無線通信方式の基地局装置の識別情報、接続を開始した時刻および接続を終了した時刻を履歴情報としてデータベースに保存し、履歴情報をサーバ装置に送信した後、サーバ装置から、第２の無線通信方式の基地局装置の検知または第２の無線通信方式の基地局装置への接続に応じた前記アプリケーションに対するインセンティブを獲得するので、ユーザは、アプリケーションに対して積極的に取り組むほど、インセンティブを多く受けることができ、また、インセンティブを得るために、第２の無線通信方式を検知しまたは接続するモチベーションを高めることが可能となる。その結果、第１の無線通信方式における輻輳を回避することが可能となる。
【０００９】
（２）また、本発明の移動局装置は、通信可能範囲が相対的に広い第１の無線通信方式または通信可能範囲が相対的に狭く通信可能範囲を特定可能な第２の無線通信方式を切り替えて無線通信を行なう移動局装置であって、前記第２の無線通信方式の基地局装置を検知する検知部と、前記検知したいずれかの第２の通信方式の基地局装置に接続する接続部と、前記検知した第２の無線通信方式の基地局装置の識別情報および検知した時刻、並びに前記接続した第２の無線通信方式の基地局装置の識別情報、接続を開始した時刻および接続を終了した時刻を履歴情報としてデータベースに保存する検知接続履歴保存部と、少なくとも一つのアプリケーションと、前記履歴情報に基づいて、前記アプリケーションに対するインセンティブを付与する対象となる第２の無線通信方式の基地局装置を特定する第１の特定部と、前記特定した第２の無線通信方式の基地局装置の検知または前記特定した第２の無線通信方式の基地局装置への接続に応じた前記アプリケーションに対するインセンティブを決定する第１のインセンティブ決定部と、を備え、前記決定されたインセンティブが前記アプリケーションで利用可能となることを特徴とする。
【００１０】
このように、第２の無線通信方式の基地局装置を検知し、検知したいずれかの第２の通信方式の基地局装置に接続し、検知した第２の無線通信方式の基地局装置の識別情報および検知した時刻、並びに接続した第２の無線通信方式の基地局装置の識別情報、接続を開始した時刻および接続を終了した時刻を履歴情報としてデータベースに保存し、履歴情報に基づいて、アプリケーションに対するインセンティブを付与する対象となる第２の無線通信方式の基地局装置を特定し、特定した第２の無線通信方式の基地局装置の検知または特定した第２の無線通信方式の基地局装置への接続に応じたアプリケーションに対するインセンティブを決定し、決定されたインセンティブがアプリケーションで利用可能となるので、ユーザは、アプリケーションに対して積極的に取り組むほど、インセンティブを多く受けることができ、また、インセンティブを得るために、第２の無線通信方式を検知しまたは接続するモチベーションを高めることが可能となる。その結果、第１の無線通信方式における輻輳を回避することが可能となる。
【００１１】
（３）また、本発明のサーバ装置は、通信可能範囲が相対的に広い第１の無線通信方式または通信可能範囲が相対的に狭く通信可能範囲を特定可能な第２の無線通信方式を切り替えることが可能で、少なくとも一つのアプリケーションを有する移動局装置と通信を行なうサーバ装置であって、前記移動局装置が検知した第２の無線通信方式の基地局装置の識別情報および検知した時刻、並びに前記移動局装置が接続した第２の無線通信方式の基地局装置の識別情報、接続を開始した時刻および接続を終了した時刻を含む履歴情報を、前記移動局装置から受信するデータ送受信部と、前記履歴情報に基づいて、前記移動局装置のアプリケーションに対するインセンティブを付与する対象となる第２の無線通信方式の基地局装置を特定する第２の特定部と、前記特定した第２の無線通信方式の基地局装置の検知または前記特定した第２の無線通信方式の基地局装置への接続に応じた前記移動局装置のアプリケーションに対するインセンティブを決定する第２のインセンティブ決定部と、を備え、前記データ送受信部は、前記決定したインセンティブを、前記履歴情報を送信した移動局装置に対して送信することを特徴とする。
【００１２】
このように、移動局装置が検知した第２の無線通信方式の基地局装置の識別情報および検知した時刻、並びに移動局装置が接続した第２の無線通信方式の基地局装置の識別情報、接続を開始した時刻および接続を終了した時刻を含む履歴情報を、移動局装置から受信し、履歴情報に基づいて、移動局装置のアプリケーションに対するインセンティブを付与する対象となる第２の無線通信方式の基地局装置を特定し、特定した第２の無線通信方式の基地局装置の検知または特定した第２の無線通信方式の基地局装置への接続に応じた移動局装置のアプリケーションに対するインセンティブを決定し、決定したインセンティブを、履歴情報を送信した移動局装置に対して送信するので、ユーザは、アプリケーションに対して積極的に取り組むほど、インセンティブを多く受けることができ、また、インセンティブを得るために、第２の無線通信方式を検知しまたは接続するモチベーションを高めることが可能となる。その結果、第１の無線通信方式における輻輳を回避することが可能となる。
【００１３】
（４）また、本発明の通信システムは、上記（１）記載の移動局装置と、上記（３）記載のサーバ装置と、から構成されることを特徴とする。
【００１４】
この構成により、ユーザは、アプリケーションに対して積極的に取り組むほど、インセンティブを多く受けることができ、また、インセンティブを得るために、第２の無線通信方式を検知しまたは接続するモチベーションを高めることが可能となる。その結果、第１の無線通信方式における輻輳を回避することが可能となる。
【００１５】
（５）また、本発明のプログラムは、通信可能範囲が相対的に広い第１の無線通信方式または通信可能範囲が相対的に狭く通信可能範囲を特定可能な第２の無線通信方式を切り替えることが可能で、少なくとも一つのアプリケーションを有する移動局装置のプログラムであって、前記第２の無線通信方式の基地局装置を検知する処理と、前記検知したいずれかの第２の通信方式の基地局装置に接続する処理と、前記検知した第２の無線通信方式の基地局装置の識別情報および検知した時刻、並びに前記接続した第２の無線通信方式の基地局装置の識別情報、接続を開始した時刻および接続を終了した時刻を履歴情報としてデータベースに保存する処理と、前記履歴情報をサーバ装置に送信した後、前記サーバ装置から、前記第２の無線通信方式の基地局装置の検知または前記第２の無線通信方式の基地局装置への接続に応じたアプリケーションに対するインセンティブを獲得する処理と、の一連の処理をコンピュータに実行させることを特徴とする。
【００１６】
このように、第２の無線通信方式の基地局装置を検知し、検知したいずれかの第２の通信方式の基地局装置に接続し、検知した第２の無線通信方式の基地局装置の識別情報および検知した時刻、並びに接続した第２の無線通信方式の基地局装置の識別情報、接続を開始した時刻および接続を終了した時刻を履歴情報としてデータベースに保存し、履歴情報をサーバ装置に送信した後、サーバ装置から、第２の無線通信方式の基地局装置の検知または第２の無線通信方式の基地局装置への接続に応じた前記アプリケーションに対するインセンティブを獲得するので、ユーザは、アプリケーションに対して積極的に取り組むほど、インセンティブを多く受けることができ、また、インセンティブを得るために、第２の無線通信方式を検知しまたは接続するモチベーションを高めることが可能となる。その結果、第１の無線通信方式における輻輳を回避することが可能となる。
【００１７】
（６）また、本発明のプログラムは、通信可能範囲が相対的に広い第１の無線通信方式または通信可能範囲が相対的に狭く通信可能範囲を特定可能な第２の無線通信方式を切り替えることが可能で、少なくとも一つのアプリケーションを有する移動局装置と通信を行なうサーバ装置のプログラムであって、前記移動局装置が検知した第２の無線通信方式の基地局装置の識別情報および検知した時刻、並びに前記移動局装置が接続した第２の無線通信方式の基地局装置の識別情報、接続を開始した時刻および接続を終了した時刻を含む履歴情報を、前記移動局装置から受信する処理と、前記履歴情報に基づいて、前記移動局装置のアプリケーションに対するインセンティブを付与する対象となる第２の無線通信方式の基地局装置を特定する処理と、前記特定した第２の無線通信方式の基地局装置の検知または前記特定した第２の無線通信方式の基地局装置への接続に応じた前記移動局装置のアプリケーションに対するインセンティブを決定する処理と、前記決定したインセンティブを前記履歴情報を送信した移動局装置に対して送信する処理と、の一連の処理をコンピュータに実行させることを特徴とする。
【００１８】
このように、移動局装置が検知した第２の無線通信方式の基地局装置の識別情報および検知した時刻、並びに移動局装置が接続した第２の無線通信方式の基地局装置の識別情報、接続を開始した時刻および接続を終了した時刻を含む履歴情報を、移動局装置から受信し、履歴情報に基づいて、移動局装置のアプリケーションに対するインセンティブを付与する対象となる第２の無線通信方式の基地局装置を特定し、特定した第２の無線通信方式の基地局装置の検知または特定した第２の無線通信方式の基地局装置への接続に応じた移動局装置のアプリケーションに対するインセンティブを決定し、決定したインセンティブを、履歴情報を送信した移動局装置に対して送信するので、ユーザは、アプリケーションに対して積極的に取り組むほど、インセンティブを多く受けることができ、また、インセンティブを得るために、第２の無線通信方式を検知しまたは接続するモチベーションを高めることが可能となる。その結果、第１の無線通信方式における輻輳を回避することが可能となる。
【発明の効果】
【００１９】
本発明によれば、ユーザが、アプリケーションに対して積極的に取り組むほど、インセンティブを多く受けることができ、また、インセンティブを得るために、第２の無線通信方式を検知しまたは接続するモチベーションを高めることが可能となる。その結果、第１の無線通信方式における輻輳を回避することが可能となる。
【図面の簡単な説明】
【００２０】
【図１】本実施形態に係る通信システムの概略構成を示すブロック図である。
【図２】移動局装置のＷｉ−Ｆｉ  ＡＰを検知する動作を示すフローチャートである。
【図３】移動局装置のＷｉ−Ｆｉ  ＡＰへの接続動作を示すフローチャートである。
【図４】移動局装置のＷｉ−Ｆｉ  ＡＰへの接続終了の動作を示すフローチャートである。
【図５】Ｗｉ−Ｆｉ  ＡＰ検知／接続履歴に基づくインセンティブ付与の動作を示すフローチャートである。
【発明を実施するための形態】
【００２１】
本実施形態では、ユーザが移動する先々に存在する予め定められたＷｉ−Ｆｉ  ＡＰを携帯端末（移動局装置）が“検知”した際に、携帯端末が備えるアプリケーションに関するインセンティブを付与する。また、同Ｗｉ−Ｆｉ  ＡＰに“接続”した際には、“検知のみ”である場合より多くのインセンティブを付与することにより、ユーザが対象となるアプリケーション（例えば、ゲーム、コンテンツ配信、ライブチャット等。以下、同様とする。）に対してどの程度積極的に取り組んでいるかをインセンティブに反映することを可能とする。これにより、ユーザは、より多くのインセンティブを得るためには、通常の携帯電話回線からＷｉ−Ｆｉへ切り替えることになるため、同時に、ユーザは、携帯電話回線接続時に課されるデータ通信コストを低減することが可能となる。なお、本実施形態では、第１の無線通信方式を３ＧまたはＬＴＥとし、第２の無線通信方式をＷｉ−Ｆｉとするが、本発明は、これらに限定されるわけではない。以下、本発明の実施形態について図面を参照して説明する。
【００２２】
図１は、本実施形態に係る通信システムの概略構成を示すブロック図である。ここでは、説明に好適な例として、本発明によるＷｉ−Ｆｉ  ＡＰの検知／接続状況に基づくインセンティブ付与システムが、移動局装置（クライアント携帯端末）とサーバ装置に分割して具えられている場合を取り扱う。なお、必要な機能を移動局装置とサーバ装置に分けずに、移動局装置のみに設ける態様を採ることも可能である。。
【００２３】
移動局装置１０において、主方式通信部１は、３ＧまたはＬＴＥ等の携帯電話回線を用いた通信を行なう。通信方式切替部３は、３ＧまたはＬＴＥと、Ｗｉ−Ｆｉとを切り替える。ここで、通信方式切替部３は、Ｗｉ−Ｆｉ  ＡＰを検知後、通信方式切替部において、自動／手動で主方式の通信(3G, LTE等)からＷｉ−Ｆｉに切り替えるか判定する。切り替える場合は、主方式による通信を停止し、Ｗｉ−Ｆｉ接続を行なう。Ｗｉ−Ｆｉ  ＡＰ検知部５は、周辺に存在する任意のＷｉ−Ｆｉ  ＡＰを検知する。
【００２４】
Ｗｉ−Ｆｉ  ＡＰ接続部７は、検知されたＷｉ−Ｆｉ  ＡＰのうち、ユーザによって選択されたＷｉ−Ｆｉ  ＡＰに接続する。この接続により、移動局装置１０は、Ｗｉ−Ｆｉによるデータ通信が可能となる。ここで、Ｗｉ−Ｆｉ  ＡＰへの接続は、ユーザ自身の操作をその都度受け付けることで実行しても良いし、予め自動接続が設定されていた場合には、検知した中で接続可能なＷｉ−Ｆｉ  ＡＰへ自動的に接続しても良い。一方、Ｗｉ−Ｆｉ  ＡＰ接続部７は、接続されていたＷｉ−Ｆｉ  ＡＰからの切断も実行する。
【００２５】
Ｗｉ−Ｆｉ  ＡＰ検知／接続履歴保存部９は、Ｗｉ−Ｆｉ  ＡＰ検知部５が検知したＷｉ−Ｆｉ  ＡＰ全てについて、それらの識別情報(SSID, MACアドレス等)を検知した時刻とともにＷｉ−Ｆｉ  ＡＰ検知／接続履歴ＤＢ１１に登録する。また、Ｗｉ−Ｆｉ  ＡＰ検知／接続履歴保存部９は、Ｗｉ−Ｆｉ  ＡＰ接続部７が接続したＷｉ−Ｆｉ  ＡＰそれぞれについて、それらの識別情報を接続開始／終了した時刻とともにＷｉ−Ｆｉ  ＡＰ検知／接続履歴ＤＢ１１に登録する。
【００２６】
履歴送信タイミング制御部１３は、Ｗｉ−Ｆｉ  ＡＰ検知／接続履歴をサーバ装置２０へ送信する予め設定されたタイミングの検知を行なう。同タイミングは、例えば、毎日０時とし２４時間でのＷｉ−Ｆｉ  ＡＰ検知／接続履歴を送信することとしても良いし、インセンティブ付与対象のアプリケーションが終了された後の次回起動時としても良い。
【００２７】
データ送受信部１５は、履歴送信タイミング制御部１３により検知されたタイミングで、Ｗｉ−Ｆｉ  ＡＰ検知／接続履歴ＤＢ１１から、前回検知タイミング以降の対象となるＷｉ−Ｆｉ  ＡＰ検知／接続履歴のデータをサーバ装置２０へ、ユーザ認証データとともに送信する。また、サーバ装置２０からのインセンティブを受信する。
【００２８】
ユーザ状況管理部１７は、データ送受信部１５が受信したインセンティブを、履歴送信タイミング制御で検知したタイミングの時刻情報とともに、ユーザ状況ＤＢ１９に登録する。ユーザ状況ＤＢ１９は、インセンティブ付与対象となるアプリケーションから参照され、その進行に反映される。
【００２９】
サーバ装置２０において、データ送受信部２１は、移動局装置１０からユーザ認証データとＷｉ−Ｆｉ  ＡＰ検知／接続履歴データを受信する。また、決定したインセンティブを移動局装置１０へ送信する。ユーザデータ認証／管理部２３は、データ送受信部２１で受信したユーザ認証データをユーザデータＤＢ２５の登録内容と照合し、認証する。また、インセンティブ決定部３３より送られたインセンティブとその基となる検知／接続されたＷｉ−Ｆｉ  ＡＰの情報を、ユーザデータＤＢ２５の当該ユーザデータに登録する。
【００３０】
検知／接続Ｗｉ−Ｆｉ  ＡＰ特定部２７は、Ｗｉ−Ｆｉ  ＡＰ検知／接続履歴とＷｉ−Ｆｉ  ＡＰ  ＤＢ２９の登録内容を照合することで、検知／接続したＷｉ−Ｆｉ  ＡＰのうちインセンティブ付与対象となるＷｉ−Ｆｉ  ＡＰのみを特定し、そのＡＰの設置場所を示す緯度経度情報や建物／店舗名称等を取得する。ここで、Ｗｉ−Ｆｉ  ＡＰ  ＤＢ２９には、例えば、全国の「au Wi-Fi SPOT」の情報が登録されている。
【００３１】
Ｗｉ−Ｆｉ  ＡＰ利用ポイント算出部３１は、検知／接続Ｗｉ−Ｆｉ  ＡＰ特定部２７で取得したインセンティブ付与対象Ｗｉ−Ｆｉ  ＡＰへの検知／接続状況に基づき、Ｗｉ−Ｆｉ  ＡＰ利用ポイントを算出する。ここで、Ｗｉ−Ｆｉ  ＡＰ利用ポイントは、検知／接続回数、検知／接続したＷｉ−Ｆｉ  ＡＰを時刻順に移動した際の総移動距離や実際に交通機関を用いて移動した際の総移動時間、検知／接続したＷｉ−Ｆｉ  ＡＰの中で最も遠い２つのＷｉ−Ｆｉ  ＡＰ間の距離やその間の実際に交通機関を用いて移動した際の移動時間、接続した全てのＷｉ−Ｆｉ  ＡＰに対する総接続時間、Ｗｉ−Ｆｉ  ＡＰ経由での通信データ量、他のデータ通信手段も含めた総通信データ量に占めるＷｉ−Ｆｉ  ＡＰ経由での通信データ量の割合等のひとつ、または複数の組合せに基づき算出することができる。
【００３２】
また、ユーザが初めて検出／接続したＷｉ−Ｆｉ  ＡＰや、インセンティブ付与対象となるアプリケーションの全ユーザのうち初めて検出／接続したＷｉ−Ｆｉ  ＡＰ、また予め設定されたレアＷｉ−Ｆｉ  ＡＰ等が検知／接続されたＷｉ−Ｆｉ  ＡＰに含まれている場合には、利用ポイントにボーナスを加算しても良い。
【００３３】
Ｗｉ−Ｆｉ  ＡＰを検知しただけの場合と比較し、接続した場合には、ユーザがより積極的にインセンティブ付与となるアプリケーションに取り組んでいると考えられるため、より多くのＷｉ−Ｆｉ  ＡＰ利用ポイントを加味しても良い。また、そのときより長時間接続を維持しているほど、電波強度が弱いＷｉ−Ｆｉ  ＡＰほど、接続中のＷｉ−Ｆｉ  ＡＰへの他の同時接続端末が多いほど、ユーザが積極的な取組みを実施していると判定し、更に多くのＷｉ−Ｆｉ  ＡＰ利用ポイントを加味しても良い。
【００３４】
このようにすることで、ユーザの対象アプリケーションへの取組み方の積極性を反映・評価したインセンティブを付与することが可能となる。
【００３５】
インセンティブ決定部３３は、Ｗｉ−Ｆｉ  ＡＰ利用ポイント算出部３１で算出されたＷｉ−Ｆｉ  ＡＰ利用ポイントに基づき、ユーザに付与するインセンティブを決定する。ここで、インセンティブは、例えば、対象ゲーム、コンテンツ配信、ライブチャット等で利用可能な通貨やアイテムとすることが考えられる。その場合、Ｗｉ−Ｆｉ  ＡＰ利用ポイントの多さに、ユーザに付与する同通貨の額、同アイテムのレア度を反映させる。また、例えば、インセンティブは、携帯通信事業者による、通信利用料や携帯端末購入代金への変換が可能なポイントであっても良く、また、アプリケーション提供事業者が運営するオンラインショッピングサイトで、商品購入代金からの割引に利用可能なポイントであっても良い。また、インセンティブは、アプリケーション提供事業者、またはその提携事業者が運営するリアルな映画館、レジャー施設のチケット、割引クーポン、飲食店の割引クーポン (何れも電子的に配布)であっても良い。また、例えば、ファーストフード店内に設けられたＷｉ−Ｆｉスポットを検知しまたは接続すると、アプリケーションに関し、その店特有のインセンティブや、店内で使用可能なポイント・クーポンが付与されるようにしても良い。これにより、ファーストフード店への誘因を活発化させることができる。これにより、そのファーストフード店におけるＷｉ−Ｆｉ提供者とファーストフード店との共同ビジネスを展開することが可能となる。このように決定したインセンティブは、その基となる検知／接続されたＷｉ−Ｆｉ  ＡＰの情報とともにユーザデータ認証／管理部２３へ送られる。
【００３６】
図２は、移動局装置のＷｉ−Ｆｉ  ＡＰを検知する動作を示すフローチャートである。移動局装置１０は、Ｗｉ−Ｆｉ  ＡＰを検知すると（ステップＳ２１）、Ｗｉ−Ｆｉ  ＡＰ検知／接続履歴ＤＢ１１に検知したＡＰの識別情報を検知時刻と共に登録する（ステップＳ２２）。
【００３７】
図３は、移動局装置のＷｉ−Ｆｉ  ＡＰへの接続動作を示すフローチャートである。移動局装置１０は、Ｗｉ−Ｆｉ  ＡＰに接続すると（ステップＳ３１）、Ｗｉ−Ｆｉ  ＡＰ検知／接続履歴ＤＢ１１に接続したＡＰの識別情報を接続開始時刻と共に登録する（ステップＳ３２）。
【００３８】
図４は、移動局装置のＷｉ−Ｆｉ  ＡＰへの接続終了の動作を示すフローチャートである。移動局装置１０は、Ｗｉ−Ｆｉ  ＡＰへの接続を終了すると（ステップＳ４１）、Ｗｉ−Ｆｉ  ＡＰ検知／接続履歴ＤＢ１１の該当するＡＰの欄に接続終了時刻を登録する（ステップＳ４２）。
【００３９】
図５は、Ｗｉ−Ｆｉ  ＡＰ検知／接続履歴に基づくインセンティブ付与の動作を示すフローチャートである。データ送受信部２１が、Ｗｉ−Ｆｉ  ＡＰ検知／接続履歴を受信すると（送信タイミング検知）（ステップＳ５１）、ユーザデータ認証／管理部２３がユーザ認証を行なう（ステップＳ５２）。次に、ユーザデータ認証／管理部２３が、Ｗｉ−Ｆｉ  ＡＰ検知／接続履歴データを検知／接続Ｗｉ−Ｆｉ  ＡＰ特定部２７に送信し（ステップＳ５３）、検知／接続Ｗｉ−Ｆｉ  ＡＰ特定部２７が、検知／接続した各Ｗｉ−Ｆｉ  ＡＰを特定する（ステップＳ５４）。次に、Ｗｉ−Ｆｉ  ＡＰ利用ポイント算出部３１が、Ｗｉ−Ｆｉ  ＡＰ利用ポイントを算出し（ステップＳ５５）、インセンティブ決定部３３が、インセンティブを決定する（ステップＳ５６）。次に、ユーザデータ認証／管理部２３が、ユーザデータを更新し（ステップＳ５７）、インセンティブをサーバ装置２０から移動局装置１０へ送信する（ステップＳ５８）。そして、ユーザ状況管理部１７が、ユーザ状況ＤＢ１９を更新し（ステップＳ５９）、終了する。
【００４０】
なお、本実施形態に係る通信システムは、以下のような態様を採ることも可能である。すなわち、（１）本実施形態に係る通信システムは、携帯端末のＷｉ−Ｆｉ  ＡＰとの検知／接続状況に基づきインセンティブを付与するシステムにおいて、周辺に存在する任意のＷｉ−Ｆｉ  ＡＰを検知し、また、選択されたＷｉ−Ｆｉ  ＡＰに接続するＷｉ−Ｆｉ  ＡＰ検知／接続部と、検知したＷｉ−Ｆｉ  ＡＰ全てについて、それらの識別情報を検知した時刻とともに保存し、また、接続したＷｉ−Ｆｉ  ＡＰそれぞれについて、それらの識別情報を接続開始／終了した時刻とともに保存するＷｉ−Ｆｉ  ＡＰ検知／接続履歴保存部と、検知／接続したＷｉ−Ｆｉ  ＡＰのうちインセンティブ付与対象となるＷｉ−Ｆｉ  ＡＰのみを特定し、そのＷｉ−Ｆｉ  ＡＰの設置場所情報を取得する検知／接続Ｗｉ−Ｆｉ  ＡＰ特定部と、特定されたＷｉ−Ｆｉ  ＡＰへの検知／接続状況に基づき付与インセンティブを決定するインセンティブ決定部を具備することを特徴とする。
【００４１】
（２）また、本実施形態に係る通信システムは、インセンティブを付与する予め設定されたタイミングを検知するインセンティブ付与タイミング制御部を更に具備し、前回インセンティブ付与タイミング以降、当該タイミングまでに検知／接続したＷｉ−Ｆｉ  ＡＰの情報のみに基づき、付与インセンティブを決定することを特徴とする。
【００４２】
（３）また、本実施形態に係る通信システムは、前記インセンティブ決定部が、Ｗｉ−Ｆｉ  ＡＰへの検知／接続回数に基づきインセンティブを決定することを特徴とする。
【００４３】
（４）また、本実施形態に係る通信システムは、前記インセンティブ決定部が、検知／接続したＷｉ−Ｆｉ  ＡＰを時刻順に移動した際の総移動距離に基づきインセンティブを決定することを特徴とする。
【００４４】
（５）また、本実施形態に係る通信システムは、前記インセンティブ決定部が、検知／接続したＷｉ−Ｆｉ  ＡＰを時刻順に、実際に交通機関を用いて移動した際の総移動時間に基づきインセンティブを決定することを特徴とする。
【００４５】
（６）また、本実施形態に係る通信システムは、前記インセンティブ決定部が、検知／接続したＷｉ−Ｆｉ  ＡＰの中で最も遠い2つのＷｉ−Ｆｉ  ＡＰ間の距離に基づきインセンティブを決定することを特徴とする。
【００４６】
（７）また、本実施形態に係る通信システムは、前記インセンティブ決定部が、検知／接続したＷｉ−Ｆｉ  ＡＰの中で最も遠い2つのＷｉ−Ｆｉ  ＡＰ間を、実際に交通機関を用いて移動した際の移動時間に基づきインセンティブを決定することを特徴とする。
【００４７】
（８）また、本実施形態に係る通信システムは、前記インセンティブ決定部が、接続した全てのＷｉ−Ｆｉ  ＡＰに対する総接続時間に基づきインセンティブを決定することを特徴とする。
【００４８】
（９）また、本実施形態に係る通信システムは、前記インセンティブ決定部が、接続した全てのＷｉ−Ｆｉ  ＡＰを経由した総通信データ量に基づきインセンティブを決定することを特徴とする。
【００４９】
（１０）また、本実施形態に係る通信システムは、前記インセンティブ決定部が、接続したＷｉ−Ｆｉ  ＡＰの電波強度に基づきインセンティブを決定することを特徴とする。
【００５０】
（１１）また、本実施形態に係る通信システムは、前記インセンティブ決定部が、接続したＷｉ−Ｆｉ  ＡＰへの他の同時接続端末数に基づきインセンティブを決定することを特徴とする。
【００５１】
以上説明したように、本実施形態によれば、ユーザの保有する携帯端末のＷｉ−Ｆｉ  ＡＰへの検知／接続状況に基づきインセンティブを付与することで、ユーザが対象となるアプリケーションに対してどの程度積極的に取り組んでいるかをインセンティブに反映することが可能となる。また、ユーザは、より多くのインセンティブを得るためにＷｉ−Ｆｉ接続の利用を促進することで、併せて携帯電話回線接続時に課されるデータ通信コストを低減することができる。
【符号の説明】
【００５２】
１  主方式通信部
３  通信方式切替部
５  Ｗｉ−Ｆｉ  ＡＰ検知部
７  Ｗｉ−Ｆｉ  ＡＰ接続部
９  Ｗｉ−Ｆｉ  ＡＰ検知／接続履歴保存部
１０  移動局装置
１３  履歴送信タイミング制御部
１５  データ送受信部
１７  ユーザ状況管理部
１９  ユーザ状況ＤＢ
２０  サーバ装置
２１  データ送受信部
２３  ユーザデータ認証／管理部
２５  ユーザデータＤＢ
２７  検知／接続Ｗｉ−Ｆｉ  ＡＰ特定部
２９  Ｗｉ−Ｆｉ  ＡＰ  ＤＢ
３１  Ｗｉ−Ｆｉ  ＡＰ利用ポイント算出部
３３  インセンティブ決定部
【図１】
2015064801.tif 000003
【図２】
2015064801.tif 000004
【図３】
2015064801.tif 000005
【図４】
2015064801.tif 000006
【図５】
2015064801.tif 000007